(57)【要約】【課題】  光学シートの組み込み性と表示品位とを向上させる両面発光照明ユニット。【解決手段】  両面発光照明ユニット１のホルダ２にはメインのＬＣＤを照明するための開口部２ａとサブのＬＣＤを照明するための貫通穴２ｂ及び開口部２ｃとが形成されている。略長方形の平板状の導光板３がホルダ２の開口部２ａに配設されている。発光ダイオード（ＬＥＤ）から成る光源４は、導光板３の側面に沿って離散的に配設されている。導光板３の上面３ｂに近接して輝度ムラを補正する機能を有する光拡散シート５が配設されている。光を集光させ、面輝度を向上させる機能を有するプリズムシート６が光拡散シート５の上に重ねて配設されている。導光板３の下面３ａに近接して光反射機能と光透過機能とを有する半透過反射シート７が配設さている。プリズムシート６はホルダ２の開口部２ｃの方にも重ねて配設されている。【選択図】      図１
2007042462.tif 000002
【特許請求の範囲】
【請求項１】
ホルダに収納され、光源と、該光源が側面に近接配置された導光板と、該導光板に重ねて配設した光学シート及び半透過反射シートとから成り、電子機器ケースの両面に背中合わせに配設された両液晶表示デバイスを照明する両面発光照明ユニットにおいて、前記ホルダの貫通穴に透明樹脂板を配設したことを特徴とする両面発光照明ユニット。
【請求項２】
前記透明樹脂板の前記ホルダの外側に向いた表面が粗面化されていることを特徴とする請求項１記載の両面発光照明ユニット。
【請求項３】
前記表面にはシボ加工が施されていることを特徴とする請求項２記載の両面発光照明ユニット。
【発明の詳細な説明】
【技術分野】
【０００１】
本発明は、電子機器ケースの両面に背中合わせに配設した両液晶表示デバイスの中間に配設し、両液晶表示デバイスを背面から照射する両面発光照明ユニットに関する。
【背景技術】
【０００２】
近年、各種パソコン、ワープロ、ゲーム機器、携帯電話などの各種電子機器の表示装置として、薄型で見易いバックライト機構を備えた液晶表示デバイス（以下ＬＣＤと略す）が広く用いられている。現在主流である折り畳み式携帯電話にはケース表面と裏面との両方で別々のＬＣＤが存在することが多く、表裏のＬＣＤを照明するのに各々１台ずつのバックライトが必要であったが、両面発光照明ユニットを採用して単一のバックライトによる両面のＬＣＤの照明が可能となっている（例えば、特許文献１及び特許文献２参照。）。
【０００３】
図３は従来のこのような両面発光照明ユニットの要部断面を示す模式図である。図３において、５１は両面発光照明ユニットを示しており、２はポリカーボネイト（ＰＣ）やＡＢＳなどのプラスチックスから成る両面発光照明ユニット５１のホルダを示している。ホルダ２にはメインのＬＣＤを照明するための開口部２ａとサブのＬＣＤを照明するための貫通穴２ｂ及び開口部２ｃとが形成されている。３はプラスチックス等の透光性部材から形成された略長方形の平板状の導光板を示しており、ホルダ２の開口部２ａに配設されている。導光板３の上面３ｂは出光面であり、下面３ａには光源からの光を上面３ｂ方向へ有効に反射させる図示しない微細なプリズム形状、シボ、ドット処理等の反射部が形成されている。４は発光ダイオード（ＬＥＤ）から成る光源を示しており、複数（例えば３個）のＬＥＤが、導光板３の側面に沿って離散的に配設されている。
【０００４】
５は輝度ムラを補正する機能を有する光拡散シートを示しており、導光板３の上面に近接して配設されている。６は光を集光させ、面輝度を向上させる機能を有するプリズムシートを示しており、光拡散シート５の上に重ねて配設されている。７は導光板３の下面３ａに近接して配設された光反射機能と光透過機能とを有する半透過反射シートを示している。プリズムシート６はホルダ２の開口部２ｃの方にも重ねて配設されている。
【０００５】
このような両面発光照明ユニットの作用について説明する。光源４を出射した光は導光板３の側面から入射して導光板３内部を進行するが、直接上面３ｂに向かう光線は上面３ｂにおいて全反射して下面３ａ方向に向かう。光源４から直接きた光線と上面３ｂに反射してきた光線とが下面３ａに当たった場合に、反射部において導光板３内のあらゆる方向に反射する。反射部において反射した光は、その方向により導光板３の周面の内側で反射したり、透過したりすることになる。導光板３の下面３ａから半透過反射シート７側に出た光は、半透過反射シート７で半分は反射して導光板３内に戻り、輝度増加に作用している。導光板３内の光はやがては大部分が上面３ｂからメインのＬＣＤ側に出ることになる。この導光板３上面３ｂからの出射光は光拡散シート５及びプリズムシート６の作用で輝度を増し、ムラ無くメインのＬＣＤを照射する。半透過反射シート７を透過した光は貫通穴２ｂからサブのＬＣＤの方に向かい、プリズムシート６の作用で輝度を増してサブのＬＣＤを照射する。
【特許文献１】特開２００４−７８０４７号公報（図１、段落番号００２０）
【特許文献２】特開２００４−８７４０９号公報（図１、段落番号００１７）
【発明の開示】
【発明が解決しようとする課題】
【０００６】
しかしながら、ＬＣＤの大型化に伴いホルダ２に開けた貫通穴２ｂも大きくなるので、ホルダ２の強度が低下する。また、貫通穴２ｂが大きくなるとそこに配設されたプリズムシート６が貫通穴２ｂ側に凹むように反りやすくなる。また、この反りによってプリズムシート６が歪み、プリズムシート６単体または２枚のプリズムシート６間でニュートンリング（干渉縞）が発生し、ＬＣＤ越しであっても見栄えの悪化が確認できるようになり、ＬＣＤの表示品位が低下してしまうという問題を生じる。また、プリズムシート６を組み込む際に、貫通穴２ｂに落ちやすく組み込みの安定性に欠けることになる。
【０００７】
上記発明は、このような従来の問題を解決するためになされたものであり、その目的は、ＬＣＤの大型化に伴うプリズムシートの組み込み性と表示品位の悪化を防止できる両面発光照明ユニットを提供することである。
【課題を解決するための手段】
【０００８】
前記課題を解決するための本発明の手段は、ホルダに収納され、光源と、該光源が側面に近接配置された導光板と、該導光板に重ねて配設した光学シート及び半透過反射シートとから成り、電子機器ケースの両面に背中合わせに配設された両液晶表示デバイスを照明する両面発光照明ユニットにおいて、前記ホルダの貫通穴に透明樹脂板を配設したことを特徴とする。
【０００９】
また、前記透明樹脂板の前記ホルダの外側に向いた表面が粗面化されていることを特徴とする。
【００１０】
また、前記表面にはシボ加工が施されていることを特徴とする。
【発明の効果】
【００１１】
以上説明したように、本発明によれば、ホルダに収納され、光源と、該光源が側面に近接配置された導光板と、該導光板に重ねて配設した光学シート及び半透過反射シートとから成り、電子機器ケースの両面に背中合わせに配設された両液晶表示デバイスを照明する両面発光照明ユニットにおいて、前記ホルダの貫通穴に透明樹脂板を配設したので、ホルダ強度が補強されるとともに、プリズムシートの組み込み性が向上して歪みを生じなくなり、表示品位を向上させた両面発光照明ユニットを提供することができた。
【００１２】
また、前記透明樹脂板の前記ホルダの外側に向いた表面が粗面化されているので、透明樹脂板とプリズムシートとの光学密着を防止して、表示品位を更に向上させることができた。
【発明を実施するための最良の形態】
【００１３】
以下、本発明の実施の形態を図面に基づいて詳細に説明する。まず、本発明の第１の実施の形態である両面発光照明ユニットの構成について説明する。図１は本発明の第１の実施の形態である両面発光照明ユニットの要部断面を示す模式図である。
【００１４】
図１において、１は両面発光照明ユニットを示している。８はホルダ２の貫通穴２ｂに挿入固定されたアクリル（ＰＭＭＡ）やポリカーボネイト（ＰＣ）などの透明樹脂板を示している。透明樹脂板８の挿入方法は、貫通穴２ｂの開いたホルダ２を成形後、別途成形した透明樹脂板８をホルダ２の貫通穴２ｂに組み込むか、若しくは貫通穴２ｂの開いたホルダ２を成形するときに２色成形を行って透明樹脂板８を同時に成形する。その他の構成は従来の両面発光照明ユニット５１の構成と同様であるから、同じ構成要素には同じ符号と名称とを付して詳細な説明を省略する。
【００１５】
次に、本発明の第１の実施の形態である両面発光照明ユニットの効果について説明する。貫通穴２ｂに透明樹脂板８を配設したので、ＬＣＤの大型化に伴って貫通穴２ｂが大きくなってもホルダ２の強度が低下することがなくなった。また、組み込みに当たっては、透明樹脂板８によってプリズムシート６を支えることができるようになったので、組み込みが安定するとともにシートに歪みを生じることもなくなって、表示品位の低下を防止できた。
【００１６】
次に、本発明の第２の実施の形態である両面発光照明ユニットの構成について説明する。図２は本発明の第２の実施の形態である両面発光照明ユニットの要部断面を示す模式図である。
【００１７】
図２において、１１は両面発光照明ユニットを示している。１８はホルダ２の貫通穴２ｂに挿入固定された透明樹脂板を示している。透明樹脂板１８のホルダ２の外側すなわちプリズムシート６側を向いた表面には粗面加工が施され、粗面化されている。粗面加工は、例えばＮＧＫベアロンのＢＫ−１０１１（商品名）等のシボ粗加工で行う。その他の構成は第１の実施の形態である両面発光照明ユニット１の構成と同様であるから、同じ構成要素には同じ符号と名称とを付して詳細な説明を省略する。
【００１８】
次に、本発明の第２の実施の形態である両面発光照明ユニットの効果について説明する。粗面化されていない透明樹脂板８の場合には、透明樹脂板８とプリズムシート６とが部分的に真空状態になって密着する光学密着を生じる可能性があった。一旦光学密着を起こすとプリズムシート６に歪みを生じて透明樹脂板８とプリズムシート６間に空気層のムラができることから、更にはプリズムシート６間でニュートンリング（干渉縞）を発生することから、ＬＣＤ越しであっても見栄えの悪化が確認できて、表示品位が低下してしまうことになった。両面発光照明ユニット１１では透明樹脂板１８をシボ加工等によって粗面化したので、光学密着を防止することができて表示品位の低下を防止できた。その他第１の実施の形態の効果と同様な効果がある。
【産業上の利用可能性】
【００１９】
本発明の両面発光照明ユニットは、特に大型化したＬＣＤを有する各種電子機器の表示装置に適用することができる。
【図面の簡単な説明】
【００２０】
【図１】本発明の第１の実施の形態である両面発光照明ユニットの断面を示す模式図である。
【図２】本発明の第２の実施の形態である両面発光照明ユニットの断面を示す模式図である。
【図３】従来の両面発光照明ユニットの断面を示す模式図である。
【符号の説明】
【００２１】
１、１１  両面発光照明ユニット
２  ホルダ
２ｂ  貫通穴
３  導光板
４  光源
５  光拡散シート
６  プリズムシート
７  半透過反射シート
８、１８  透明樹脂板
【図１】
2007042462.tif 000003
【図２】
2007042462.tif 000004
【図３】
2007042462.tif 000005